(57)【要約】【課題】雪止め瓦が敷設されている瓦屋根において、屋根用除雪シートを敷設した場合に滑雪が妨げられないための、簡易かつ確実に取り付けできる雪止め瓦スペーサー部材を提供する。【解決手段】雪止め瓦スペーサー部材１０は、雪止め瓦２０を敷設した瓦屋根上の積雪を滑落させるための屋根用除雪シートを該瓦屋根に敷設する際に取着する部材であって、前記雪止め瓦２０の谷部２２と該谷部２２に架設した雪止め帯２５との隙間２８に挿着固定する挿着部１１と、該挿着部１１から前記雪止め瓦２０の尻部方向へ延在して前記谷部に載設する支持部と、前記支持部の上面に固着され、前端面が前記雪止め帯２５の後端面に当接すると共に底面が前記谷部２２を覆設する板状の覆設部１５とからなる。【選択図】図１
0003181563.tif 000002
【実用新案登録請求の範囲】
【請求項１】
雪止め瓦を敷設した瓦屋根上の積雪を滑落させるための屋根用除雪シートを該瓦屋根に敷設する際に取着する雪止め瓦スペーサー部材であって、
前記雪止め瓦の谷部と該谷部に架設した雪止め帯との隙間に挿着固定する挿着部と、
該挿着部から前記雪止め瓦の尻部方向へ延在して前記谷部に載設する支持部と、
前記支持部の上面に固着され、前端面が前記雪止め帯の後端面に当接すると共に底面が前記谷部を覆設する板状の覆設部と、
からなる雪止め瓦スペーサー部材。
【請求項２】
前記覆設部は、更に前記尻部方向へ延設され、前記雪止めの瓦の直上部の瓦の谷部にその底部が着設される請求項１に記載の雪止め瓦スペーサー部材。
【請求項３】
前記覆設部の後端面が前記直上部の瓦の更に直上部の瓦の頭部端面に当接固定される請求項２に記載の雪止め瓦スペーサー部材。
【請求項４】
前記覆設部の上面が、前記雪止め帯の頂面と略面一となる請求項１乃至３のうちのいずれか１項に記載の雪止め瓦スペーサー部材。
【請求項５】
前記瓦屋根の頭部方向から見て、前記覆設部の右側端面が、前記雪止め瓦の右隣に載設した瓦の桟部端面と当接する請求項１乃至４のうちのいずれか１項に記載の雪止め瓦スペーサー部材。
【請求項６】
前記瓦屋根の頭部方向から見て、前記覆設部の上面が、前記雪止め瓦及び前記雪止め瓦の右隣に載設した瓦の桟部の頂面と略面一となる請求項１乃至５のうちのいずれか１項に記載の雪止め瓦スペーサー部材。
【請求項７】
発泡樹脂材料により形成されている請求項１乃至６のうちいずれか１項に記載の雪止め瓦スペーサー部材。
【考案の詳細な説明】
【技術分野】
【０００１】
本考案は瓦屋根上の積雪を滑落させるための屋根用除雪シートを敷設する際に、雪止め瓦を敷設した瓦屋根に取着する雪止め瓦スペーサー部材に関する。
【背景技術】
【０００２】
積雪の多い地域においては、建物の屋根に耐久量を越える雪が積もる場合があり、作業者が屋根上に登り、スコップなどの除雪具を用いて雪下ろしが行なわれている。この雪下ろし作業は、重労働であることに加え、積雪は滑りやすいため、落下事故がおきやすい。
ここで、発明者は、屋根用除雪装置を提案した（例えば、特許文献１参照。）。この屋根用除雪装置は、屋根用除雪シート掛止具と屋根用除雪シートからなる。屋根に敷設された屋根用除雪シート上に降り積もろうとする雪を自動的に滑落させて除去することができるため、雪下ろし作業をしないで降雪期を終えることができる。
この屋根用除雪装置によれば、屋根用除雪シート掛止具に設けたフック部に屋根用除雪シート下面に設けた掛止部を掛止して、屋根に敷設されるため、簡易な構造で屋根に確実に取り付けることができ、屋根への着脱が容易である。
【先行技術文献】
【特許文献】
【０００３】
【特許文献１】実登３１７５９４１号公報
【考案の概要】
【考案が解決しようとする課題】
【０００４】
しかし、特許文献１に記載の屋根用除雪装置では、雪止め瓦が配設されている瓦屋根においては、屋根用除雪シートを敷設しても、雪止め瓦が備える雪止め帯がシートの下面において突設しており、滑雪が妨げられやすい。
その場合、雪止め瓦を通常の瓦に交換してから屋根用除雪シートを敷設することもできる。しかしながら、瓦の交換には労力及びコストを要する。
【０００５】
本考案は、前記の問題を解決するものであり、雪止め瓦が配設されている瓦屋根において、屋根用除雪シートを敷設した場合においても滑雪が妨げられないようにするための、簡易かつ確実に取り付けできる雪止め瓦スペーサー部材を提供することを目的とする。
【課題を解決するための手段】
【０００６】
本考案は以下の通りである。
１．雪止め瓦を敷設した瓦屋根上の積雪を滑落させるための屋根用除雪シートを該瓦屋根に敷設する際に取着する雪止め瓦スペーサー部材であって、前記雪止め瓦の谷部と該谷部に架設した雪止め帯との隙間に挿着固定する挿着部と、該挿着部から前記雪止め瓦の尻部方向へ延在して前記谷部に載設する支持部と、前記支持部の上面に固着され、前端面が前記雪止め帯の後端面に当接すると共に底面が前記谷部を覆設する板状の覆設部と、
からなる雪止め瓦スペーサー部材。
２．前記覆設部は、更に前記尻部方向へ延設され、前記雪止めの瓦の直上部の瓦の谷部にその底部が着設される１．に記載の雪止め瓦スペーサー部材。
３．前記覆設部の後端面が前記直上部の瓦の更に直上部の瓦の頭部端面に当接固定される２．に記載の雪止め瓦スペーサー部材。
４．前記覆設部の上面が、前記雪止め帯の頂面と略面一となる１．乃至３．のうちのいずれか１項に記載の雪止め瓦スペーサー部材。
５．前記瓦屋根の頭部方向から見て、前記覆設部の右側端面が、前記雪止め瓦の右隣に載設した瓦の桟部端面と当接する１．乃至４．のうちのいずれか１項に記載の雪止め瓦スペーサー部材。
６．前記瓦屋根の頭部方向から見て、前記覆設部の上面が、左右両隣に載設した瓦の桟部の頂面と略面一となる１．乃至５．のうちのいずれか１項に記載の雪止め瓦スペーサー部材。
７．発泡樹脂材料により形成されている１．乃至６．のうちいずれか１項に記載の雪止め瓦スペーサー部材。
【考案の効果】
【０００７】
１．本考案の雪止め瓦スペーサー部材は、雪止め瓦の谷部と雪止め帯との隙間に挿着固定する挿着部を有しているため、簡易かつ確実に取り付けできる。
また、挿着部から雪止め瓦の尻部方向へ延在して前記谷部に載設する支持部を有しているため、安定的に支持することができる。
そして、支持部の上面に固着され、前端面が前記雪止め帯の後端面に当接すると共に底面が前記谷部を覆設する板状の覆設部を有しているため、雪止め帯によって滑雪が妨げられるのを防止できる。
２．覆設部は、更に前記尻部方向へ延設され、記雪止めの瓦の直上部の瓦の谷部にその底部が着設される場合には、より適正な傾斜により滑雪を促すことができる。
３．覆設部の後端面が直上部の瓦の更に直上部の瓦の頭部端面に当接固定される場合には、より確実に取り付け固定することができる。
４．覆設部の上面が、雪止め帯の頂面と略面一となる場合には、より平坦面を形成することができるため、更に滑雪を促すことができる。
５．瓦屋根の頭部方向から見て、覆設部の右側端面が、雪止め瓦の右隣に載設した瓦の桟部端面と当接する場合には、更に確実に取り付け固定することができる。
６．前記瓦屋根の頭部方向から見て、前記覆設部の上面が、前記雪止め瓦及び前記雪止め瓦の右隣に載設した瓦の桟部の頂面と略面一となる場合には、より全体に平坦面を形成することができるため、更に滑雪を促すことができる。
７．雪止め瓦スペーサー部材が、発泡樹脂材料により形成されている場合には、加工性に優れるため、容易に切削して、瓦の形状に適合させることができる。
【図面の簡単な説明】
【０００８】
【図１】本考案の実施形態の雪止め瓦スペーサー部材を雪止め瓦に取り付けた例を示す斜視図である。
【図２】本考案の実施形態の雪止め瓦スペーサー部材を裏側から見た斜視図である。
【図３】図１のＡ−Ａ断面図である（雪止め瓦スペーサー部材を取り付けた瓦の屋根の右側の瓦屋根を省略。）。
【図４】図１のＢ−Ｂ断面図である（雪止め瓦スペーサー部材を取り付けた瓦の屋根の右側の瓦屋根を省略。）。
【図５】図４において屋根用除雪シートを敷設した状態を示す断面図である。
【図６】本考案の実施形態の雪止め瓦スペーサー部材を瓦屋根に取り付けた状態を示す屋根の全体図である。
【図７】雪止め瓦スペーサー部材を用いないで屋根用除雪シートを敷設した状態を示す瓦屋根の断面図である。
【考案を実施するための形態】
【０００９】
以下、図１〜７を参照しながら本考案を詳しく説明する。尚、本考案は、かかる図に記載された具体例に示すものに限られず、目的、用途に応じて種々変更したものとすることができる。
図１及び図２に示す雪止め瓦スペーサー部材１０は、本考案を具体化している。
【００１０】
雪止め瓦スペーサー部材１０は、雪止め瓦２０を敷設した瓦屋根上の積雪を滑落させるための屋根用除雪シートを瓦屋根８０に敷設する際に取着する部材であって、雪止め瓦２０の谷部２２と谷部２２に架設した雪止め帯２５との隙間２８に挿着固定する挿着部１１と、挿着部１１から雪止め瓦２０の尻部方向へ延在して谷部２２に載設する支持部１２と、支持部１２の上面に固着され、前端面１５ｃが前記雪止め帯２５の後端面２５ｂに当接すると共に底面１５ｂが谷部２２を覆設する板状の覆設部１５と、からなる。
【００１１】
雪止め瓦２０は、図１に示すように、例えば通常の瓦３０に対して、谷部２２に架設した雪止め帯２５を有している点が異なる。雪止め瓦スペーサー部材１０が取り付けられていない場合には、雪止め帯２５により、瓦屋根上の積雪が滑落するのを防止する役割を果たしている。
【００１２】
［１］挿着部
挿着部１１は、図１に示すように、雪止め瓦２０の谷部２２と谷部２２に架設した雪止め帯２５との隙間２８に挿着固定する部位である。この部位の形状は隙間２８に挿着固定できれば特に限定はなく、直方体状、円柱状、カマボコ状とすることができる。
例えば図２に示すように、板状の直方体とすることができる。断面が扁平円形状の雪止め帯の隙間に挿着部１１を挿着して固定できれば、挿着固定の方法は特に限定はないが、直方体状の角部を隙間２８に対して押圧固定することができる。
挿着部１１の材質は特に限定はなく、木製、樹脂製とすることができる。変形が可能な合成樹脂であれば、挿着に際してある程度変形させて押し込みやすい。特に発泡樹脂材料により形成されている場合には、変形可能で、加工性にも優れるため、容易に切削して、隙間２８の形状に適合させることもできる。
【００１３】
［２］支持部
支持部１２は、図２及び図３に示すように、挿着部１１から雪止め瓦２０の尻部方向へ延在して谷部２２に載設する部位である。そして、支持部１２は後述の覆設部１５を谷部２２上に支持する。この部位の形状は覆設部１５を谷部２２上に支持できれば、特に限定はないが、例えば図２に示すように、板状の直方体とすることができる。
支持部１２の材質は挿着部１１と同様特に限定はなく、木製、樹脂製とすることができる。取付けに際して変形が可能な軟質の合成樹脂であることが好ましい。
特に発泡樹脂材料により形成されている場合には、変形可能で、加工性にも優れるため、容易に切削して、適合させやすい。
更に、挿着部１１と支持部１２は、別個に作成して接続固定することもできるが、図２に示すように、挿着部１１と支持部１２を一体に形成することもできる。
【００１４】
［３］覆設部
覆設部１５は、図４に示すように、支持部１２の上面に固着され、前端面１５ｃが雪止め帯２５の後端面２５ｂに当接すると共に底面１５ｂが谷部２２を覆設する板状の部材である。
覆設部１５の材質は挿着部１１、支持部１２と同様特に限定はなく、木製、樹脂製とすることができる。特に発泡樹脂材料により形成されている場合には、変形可能で、加工性にも優れるため、容易に切削して、適合させやすい。
覆設部１５は、支持部１２に固着されていれば、固着方法は特に限定はなく、例えば接着剤により固定することができる。また、覆設部１５は、支持部１２と一体に形成されていてもよい。即ち、挿着部１１、支持部１２、及び覆設部１５のすべてを一体に形成してもよい。
【００１５】
覆設部１５は、雪止め瓦２０のみに覆設されてもよいが、図１及び図２に示すように、更に尻部方向へ延設され、雪止めの瓦２０の直上部の瓦３０の谷部にその底部が着設されることが好ましい。
こうすることで、図４に示すように、覆設部１５の上面１５ａが直上部の瓦３０の更に直上部の瓦４０の上面４０と面一とすることができ、一層滑雪しやすくすることができる。
【００１６】
更に、覆設部１５の後端面１５ｅが直上部の瓦３０の更に直上部の瓦４０の頭部端面４０ｂに当接固定されることが好ましい。こうすることで、覆設部１５は、雪止め帯２５と瓦４０によって挟着されるため、確実に固定される。
【００１７】
また、図３及び図４に示すように、覆設部１５の上面１５ａが、雪止め帯２５の頂面２５ａと略面一となることが好ましい。こうすることで、一層滑雪しやすくすることができる。
【００１８】
更に、図３に示すように、瓦屋根の頭部方向から見て、覆設部１５の右側端面１５ｄが、雪止め瓦２０の右隣に敷設した瓦５０の桟部端面５０ｃと当接することが好ましい。こうすることで、より確実に固定することができる。
【００１９】
また、瓦屋根の頭部方向から見て、覆設部１５の上面１５ａが、左右両隣に載設した雪止め瓦２０、雪止め瓦２０の右隣に敷設した瓦５０の桟部の頂面２０ａ、５０ａと略面一となることが好ましい。こうすることで、屋根用除雪シートを敷設した場合に、全体的に平坦面が形成されやすく、更に滑雪しやすくすることができる。
【００２０】
図５は、雪止め瓦スペーサー部材１０を瓦屋根に取り付け、屋根用除雪シート６０を敷設した例である。図５に示すように、雪止め瓦スペーサー部材１０を取り付けたことにより、雪止め瓦２０、瓦３０、瓦４０の上面に敷設した屋根用除雪シートが略平面を形成し、雪止め帯２５が滑雪の妨げにならないことが明らかである。
【００２１】
一方、図７に示すように、雪止め瓦スペーサー部材１０を取り付けない瓦屋根においては、雪止め瓦２０に形成された雪止め帯２５により屋根用除雪シート６０が凹み部分Ｓを形成し、積雪の落下を妨げることになる。
【符号の説明】
【００２２】
１０；雪止め瓦スペーサー部材、１１；挿着部、１２；支持部、１５；覆設部、１５ａ；覆設部の上面、１５ｂ；覆設部の底面、１５ｃ；覆設部の前端面、１５ｄ；覆設部の右側端面、１５ｅ;覆設部の後端面、２０；雪止め瓦、２０ａ、５０ａ；瓦の桟部の頂面、２２；谷部、６０；屋根用除雪シート、２５；雪止め帯、２５ａ；雪止め帯の頂面、２５ｂ；雪止め帯の後端面、２８；隙間、３０；直上部の瓦、４０；更に直上部の瓦、４０ｂ；更に直上部の瓦の頭部端面、５０ｃ；桟部端面、８０；瓦屋根
【図１】
0003181563.tif 000003
【図２】
0003181563.tif 000004
【図３】
0003181563.tif 000005
【図４】
0003181563.tif 000006
【図５】
0003181563.tif 000007
【図６】
0003181563.tif 000008
【図７】
0003181563.tif 000009